(57)【要約】      （修正有）【課題】絶縁ケーシングの構造強度が良いカード読み取り装置を提供する。【解決手段】複数の端子開口１３と複数の第１係止スロット及び複数の第２係止スロットが備えられ、それらの端子開口が、上記絶縁ケーシング１０の末端に設置され、それらの第１係止スロットが、間隔を置いて、それらの端子開口の上端に設置され、それらの第２係止スロットが、間隔を置いて、それらの端子開口の下端に設置される絶縁ケーシングと、それぞれ、上記絶縁ケーシングの第１係止スロットに設けられる複数の第１導電端子２０と、それぞれ、上記絶縁ケーシングの第２係止スロットに設けられる複数の第２導電端子３０と、が含有され、これにより、それらの第１係止スロットと第２係止スロットの側壁の厚さが比較的に厚くすることができるため、それらの第１係止スロットと第２係止スロットを成型する時、側壁の亀裂が、容易に発生しない。【選択図】図２
0003143916.tif 000002
【実用新案登録請求の範囲】
【請求項１】
複数の端子開口と複数の第１係止スロット及び複数の第２係止スロットが備えられ、上記端子開口が、上記絶縁ケーシングの末端に設置され、上記第１係止スロットが、間隔をおいて、上記端子開口の上端に設置され、上記第２係止スロットが、間隔をおいて、上記端子開口の下端に設置される絶縁ケーシングと、
それぞれ、上記絶縁ケーシングの第１係止スロットに設けられる複数の第１導電端子と、
それぞれ、上記絶縁ケーシングの第２係止スロットに設けられる複数の第２導電端子と、
が含有される、
ことを特徴とするカード読み取り装置。
【請求項２】
上記第１導電端子の先端において、前へ第１接触部が伸び、上記第２導電端子の末端において、それぞれ、下へ且つ後へ第２半田付け部が伸び、上記第１接触部と第２接触部が、上記絶縁ケーシング内に収納されることを特徴とする請求項１に記載のカード読み取り装置。
【請求項３】
上記第１導電端子の先端において、それぞれ、第１接触部が伸び、上記第２導電端子の末端において、下へ且つ後へ第２半田付け部が延び、上記第１半田付け部と第２半田付け部が、上記絶縁ケーシングの後方から伸び出すことを特徴とする請求項２に記載のカード読み取り装置。
【請求項４】
上記第１導電端子の第１接触部と第２導電端子の第２接触部は、水平に交差するように配列されることを特徴とする請求項３に記載のカード読み取り装置。
【請求項５】
上記第１導電端子の第１半田付け部と第２導電端子の第２半田付け部は、水平に交差するように配列されることを特徴とする請求項３に記載のカード読み取り装置。
【請求項６】
上記第２導電端子の第２接触部の先端が、上記第１導電端子の第１接触部の先端の前方に位置することを特徴とする請求項３に記載のカード読み取り装置。
【請求項７】
上記第１導電端子の第１半田付け部の末端と第２導電端子の第２半田付け部の末端は、同一の垂直平面上に位置することを特徴とする請求項３に記載のカード読み取り装置。
【請求項８】
更に、上記絶縁ケーシングの下端に配置される回路板が備えられ、上記第１導電端子の第１半田付け部と上記第２導電端子の第２半田付け部が、上記回路板の上端に半田付けられることを特徴とする請求項３に記載のカード読み取り装置。
【請求項９】
上記絶縁ケーシングの両側に、それぞれ、係止槽があり、該カード読み取り装置は、更に、二つの係止シートが備えられ、上記二つの係止シートが、上記絶縁ケーシングの係止槽に係止され、また、上記係止シートの下端が、上記回路板の上端に半田付けられることを特徴とする請求項８に記載のカード読み取り装置。
【考案の詳細な説明】
【技術分野】
【０００１】
本考案は、電子カードデータをアクセスすることに適用されるカード読み取り装置に関する。
【背景技術】
【０００２】
技術の進歩とともに、電子カード（ｅｌｅｃｔｒｉｃａｌ  ｃａｒｄ）は、情報蓄積用や認識用の媒介として普及し、ユーザーが、個人情報を上記電子カードに蓄積して、適当な場所に設置されたカード読み取り装置（ｃａｒｄ  ｒｅａｄｅｒ）により、電子カードから特定の情報を読み出して利用できる。例えば、交通機関に使用するストアドバリューカードや消費する時に使用するクレジットカード及び看病予約する時に使用する健康保険カードである。電子カードの使用率の増加とともに、カード読み取り装置に対するニーズも増加し、そのため、品質が優れた、価額が合理的であるカード読み取り装置を提供することは、関係業者にとって、至急に解決しなければならない問題である。
【０００３】
図１を参照しながら、従来のカード読み取り装置は、絶縁ケーシング１０Ａと複数の前列導電端子１１Ａ及び複数の後列導電端子１２Ａが備えられる。上記絶縁ケーシング１０Ａの末端に、上記前列導電端子１１Ａと後列導電端子１２Ａを係止するための複数の端子係止スロット１３Ａを有する。
【０００４】
しかしながら、従来のカード読み取り装置は、次の問題が残される。
【０００５】
前列導電端子１１Ａと後列導電端子１２Ａが、緊密に配列されるため、それらの端子係止スロット１３Ａも、緊密に配列され、端子係止スロット１３Ａの側壁の厚さも比較的に薄くなる。そのため、端子係止スロット１３Ａの側壁は、製造成型の時、容易に亀裂になり、量産の不良率が悪化する。
【０００６】
また、端子係止スロット１３Ａの側壁の厚さが薄くなると、端子係止スロット１３Ａが、大きい応力を受けなくなる。そのため、導電端子１１Ａ、１２Ａと端子係止スロット１３Ａとの係合力が比較的に大きい場合、即ち、導電端子１１Ａ、１２Ａと端子係止スロット１３Ａとの干渉量が比較的に多くなると、端子係止スロット１３Ａの側壁において、容易に亀裂が発生する。
【０００７】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００８】
本考案の主な目的は、絶縁ケーシングの構造強度が比較的に良いカード読み取り装置を提供する。
【課題を解決するための手段】
【０００９】
本考案は、上記の目的を達成するため、複数の端子開口と複数の第１係止スロット及び複数の第２係止スロットが備えられ、それらの端子開口が、上記絶縁ケーシングの末端に設置され、それらの第１係止スロットが、間隔を置いて、それらの端子開口の上端に設置され、それらの第２係止スロットが、間隔を置いて、それらの端子開口の下端に設置される絶縁ケーシングと、それぞれ、上記絶縁ケーシングの第１係止スロットに設けられる複数の第１導電端子と、それぞれ、上記絶縁ケーシングの第２係止スロットに設けられる複数の第２導電端子と、が含有されるカード読み取り装置である。
【００１０】
本考案によれば、それらの第１係止スロットと第２係止スロットの側壁の厚さが比較的に厚くすることができるため、それらの第１係止スロットと第２係止スロットを成型する時、側壁の亀裂が、容易に発生しなく、また、それらの係止スロットと第２係止スロットの側壁も、比較的に大きい係合力を受けても問題ない。
【００１１】
以下、図面を参照しながら、本考案の特長や技術内容について詳しく説明するが、本考案は、それによって制限されることがない。
【考案を実施するための最良の形態】
【００１２】
図２と図３は、本考案に係るカード読み取り装置であり、絶縁ケーシング１０と複数の第１導電端子２０、複数の第２導電端子３０、二つの係止シート４０及び回路板５０が備えられる。
【００１３】
図４と図５を参照しながら、上記絶縁ケーシング１０は、絶縁材料（例えば、プラスチック等）から、射出成形（ｉｎｊｅｃｔｉｏｎ  ｍｏｌｄｉｎｇ）により一体成型される。上記絶縁ケーシング１０の内部に、空間１１が形成され、上記絶縁ケーシング１０の先端に、空間１１に連通する矩形状の開口１２が設置され、電子カード（図に未表示）が、上記開口１２を通して絶縁ケーシング１０内の空間１１に入る（図７のように）。上記絶縁ケーシング１０の末端に、複数の上記空間１１に連通する端子開口１３が設置され、それらの端子開口１３の上端に、間隔を置いて、複数の第１係止スロット１３１が設置され、これにより、端子開口１３の上端が、「Ｔ」型槽になる。また、それらの端子開口１３の下端に、間隔を置いて、複数の第２係止スロット１３２を設置し、これにより、端子開口１３の下端が、「逆Ｔ」型槽になる。
【００１４】
上記絶縁ケーシング１０の先端において、突出部１５が伸び、該突出部１５が、上記開口１２の上方に位置し、ユーザーが、容易に、電子カードを開口１２から絶縁ケーシング１０内に入れるための機能を発揮する。
【００１５】
それらの第１導電端子２０は、高導電率を有する金属からなり、絶縁ケーシング１０の後方からそれらの端子開口１３に貫通し、また、それらの端子開口１３の第１係止スロット１３１に係止される。それらの第１導電端子２０の先端において、下へ且つ前へ向かって、外型がやや大きい円弧状の第１接触部２１が伸び、それらの第１接触部２１が、上記絶縁ケーシング１０の空間１１内に収納される。それらの第１導電端子２０の末端において、下へ且つ後へ向かって、外型がやや大きい「Ｌ」型である第１半田付け部２２が延び、それらの第１半田付け部２２の末端が、上記絶縁ケーシング１０の後方から伸び出す。
【００１６】
それらの第２導電端子３０も、高導電率を有する金属からなり、その構成が、それらの第１導電端子２０に類似し、絶縁ケーシング１０の後方から、それらの端子開口１３に貫通してそれらの第２係止スロット１３２に係止される。それらの第２導電端子３０の先端において、外型がやや大きい円弧状の第２接触部３１が伸び、それらの第１接触部２１と第２接触部３１は、水平に交差するように、絶縁ケーシング１０に配列され、また、それらの第２接触部３１の先端が、それらの第１接触部２１の先端の前方に位置する。
【００１７】
それらの第２導電端子３０の末端において、下へ且つ後へ向かって、外型がやや大きい「Ｌ」型である第２半田付け部３２が延び、それらの第２半田付け部３２の末端が、上記絶縁ケーシング１０の後方から伸び出す。また、それらの第１半田付け部２２と第２半田付け部３２も、水平に交差するように配列され、上記第１半田付け部２２の末端と第２半田付け部３２の末端が、同一垂直平面上に位置する。
【００１８】
上記絶縁ケーシング１０の両側に、それぞれ、それらの係止シート４０と係止するための係止槽１４が設けられる。上記係止シート４０上に、それぞれ、適当な弾力を有する弾条片４１が設置される。係止シート４０が、絶縁ケーシング１０の上方から係止槽１４に挿入されると、該弾条片４１が、弾性変形して係止シート４０を緊密に係止槽１４の槽面に抵当させ、これにより、簡単に係止槽１４から脱離することがない。
【００１９】
それらの第１導電端子２０と第２導電端子３０及び係止シート４０を上記絶縁ケーシング１０に組み立てた後、上記回路板５０を、上記絶縁ケーシング１０の下端に配置して、それらの第１導電端子２０の第１半田付け部２１とそれらの第２導電端子３０の第２半田付け部３２を上記回路板５０の上端において、対応する接点（図に未表示）に半田付け、これにより、それらの導電端子２０、３０が、回路板に電気的に接続される。
【００２０】
また、それらの係止シート４０の下端も、上記回路板５０の上端に半田付けられ、これにより、それらの係止シート４０が、回路板５０に固定され、そして、係止シート４０により、絶縁ケーシング１０が安定に固定され、そのため、絶縁ケーシング１０が、安定的に回路板５０の上方に実装され、回路板５０に対して容易に動揺しないようになる。
【００２１】
また、図６と図７を参照しながら、上記電子カード６０が、絶縁ケーシングの開口１２から絶縁ケーシング１０に差し込まれると、上記電子カード６０の接続端点（図に未表示）は、上記第１導電端子２０の第１接触部２１と第２導電端子３０の第２接触部３１に接触して電気的に接続され、電子カード６０内に格納されるデータは、それらの導電端子２０、３０を介して、回路板５０に伝送され、上記データは、更に、回路板５０に接続される他の電子装置によって処理されて応用される。
【００２２】
本考案は、次の効果が得られる。
【００２３】
それらの第１係止スロット１３１と第２係止スロット１３２は、間隔を置いて、それらの端子開口１３に設置され、また、それぞえｒ、端子開口１３の上下両端に設置され、また、これにより、端子開口の上下両端は、それぞれ、「Ｔ」型と「逆Ｔ」型槽になり、そのため、それらの第１係止スロット１３１と第２係止スロット１３２の側壁の厚さを、比較的に厚くすることができる。これにより、それらの第１係止スロット１３１と第２係止スロット１３２を成型する時、その側壁が、簡単に亀裂することがない。
【００２４】
それらの第１係止スロット１３１と第２係止スロット１３２の側壁を厚くすることができるため、比較的に大きい係合力を受け耐え、即ち、端子と係止スロットとの干渉量が比較的に大きくなってもよく、そのため、第１導電端子２０と第２導電端子３０が、より安定的に第１係止スロット１３１と第２係止スロット１３２に係止される。
【００２５】
上記第１導電端子２０の第１半田付け部２２の末端と第２導電端子３０の第２半田付け部３２の末端が、同一の垂直平面上に位置し、即ち、両者の共面度がよく、そのため、第１半田付け部２２と第２半田付け部３２を、回路板５０に半田付ける時、同一の垂直平面に位置しない時に比較すると、容易に半田付ける。
【００２６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２７】
【図１】従来のカード読み取り装置の立体断面図。
【図２】本考案に係るカード読み取り装置の立体図。
【図３】本考案に係るカード読み取り装置の他の角度の立体図。
【図４】本考案に係るカード読み取り装置の立体分解図。
【図５】本考案に係るカード読み取り装置の絶縁ケーシングの平面図。
【図６】本考案に係るカード読み取り装置の使用状態の立体概念図。
【図７】本考案示意カード読み取り装置の使用状態の断面概念図。
【符号の説明】
【００２８】
［従来］
１０Ａ    絶縁ケーシング
１１Ａ    前列導電端子
１２Ａ    後列導電端子
１３Ａ    端子係止スロット
［本考案］
１０      絶縁ケーシング
１１      空間
１２      開口
１３      端子開口
１３１    第１係止スロット
１３２    第２係止スロット
１４      係止槽
１５      突出部
２０      第１導電端子
２１      第１接触部
２２      第１半田付け部
３０      第２導電端子
３１      第２接触部
３２      第２半田付け部
４０      係止シート
４１      弾条片
５０      回路板
６０      電子カード
【図１】
0003143916.tif 000003
【図２】
0003143916.tif 000004
【図３】
0003143916.tif 000005
【図４】
0003143916.tif 000006
【図５】
0003143916.tif 000007
【図６】
0003143916.tif 000008
【図７】
0003143916.tif 000009